(57)【要約】【課題】杭頭が突出した捨てコンクリートの表面に立設されるアンカーボルト支持装置において、杭頭を避けるための嵩上げ部を容易に取り付けられるようにする。【解決手段】アンカーボルト支持装置（１）は、嵩上げ部（６）と、杭頭を跨ぐように配置されたベース部（７）と、アンカーボルトを支持する支柱部（９）とを有する。嵩上げ部は、捨てコンクリートの表面（２ａ）に立設された嵩上げ部材（２３）と、一端側において嵩上げ部材に固定され、他端側においてベース部に固定された延長アングル材（２４）とを有する。延長アングル材の水平部（２９）が、ベース部材（１０）の下縁に当接して係止されるため、１対のボルト（１３）及びナット（１４）で延長アングル材をベース部材に締結しても、延長アングル材は回動しない。【選択図】図３
2020020191.tif 000002
【特許請求の範囲】
【請求項１】
アンカーボルトを所定の位置に配置するため、杭頭が突出した表面に立設され、前記アンカーボルトを支持するアンカーボルト支持装置であって、
前記表面に立設された嵩上げ部と、
前記嵩上げ部に連結されて、前記杭頭を跨ぐように配置されたベース部と、
前記ベース部から上方に延出して、前記アンカーボルトを支持する支柱部とを有し、
前記ベース部は、主面が鉛直方向に平行な平板状の帯部を含む長尺材からなる複数のベース部材を有し、前記ベース部材は水平方向に延在し、
前記嵩上げ部は、前記表面に立設された嵩上げ部材と、一端側において前記嵩上げ部材に固定され、他端側において前記ベース部材の一端側を延長するように該ベース部材に固定された延長アングル材とを有し、
前記延長アングル材は、前記ベース部材の前記一端側の下縁に当接する平板状の水平部と、前記水平部に対して直角に配置され、該ベース部材の該一端側における前記帯部の主面に重なるように締結された平板状の鉛直部とを有することを特徴とするアンカーボルト支持装置。
【請求項２】
前記ベース部は枠形状をなし、
前記嵩上げ部は前記枠形状の隅部毎に配置され、
前記延長アングル材の各々は、前記ベース部材における前記枠形状に沿った周方向の同じ側の端部を延長するように配置されたことを特徴とする請求項１に記載のアンカーボルト支持装置。
【請求項３】
前記支柱部を構成する支柱アングル材が、前記枠形状の前記隅部の内側に配置され、
前記支柱アングル材、前記ベース部材及び前記延長アングル材は、ボルト及びナットによって共締めされることを特徴とする請求項２に記載のアンカーボルト支持装置。
【請求項４】
前記嵩上げ部材及び前記延長アングル材は、互いにボルト及びナットによって締結され、前記嵩上げ部材は、鉛直方向に長径を有して前記ボルトを挿通させる長孔を有することを特徴とする請求項１〜３のいずれか一項に記載のアンカーボルト支持装置。
【請求項５】
少なくとも一部の前記ベース部材は、スペーサーを介して前記支柱部に連結し、
前記スペーサーは、中央壁部と、前記中央壁部に対して直角をなすように前記中央壁部の両端から互いに同じ長さだけ延出する１対の側壁部とを有し、
前記中央壁部と前記１対の側壁部の延出端との一方が前記支柱部に当接し、前記中央壁部と前記１対の側壁部の延出端との他方が前記ベース部材に当接することを特徴とする請求項１〜４のいずれか一項に記載のアンカーボルト支持装置。
【発明の詳細な説明】
【技術分野】
【０００１】
本開示は、アンカーボルトを配置するため、アンカーボルトを支持して基礎コンクリートに埋設されるアンカーボルト支持装置に関する。
【背景技術】
【０００２】
アンカーボルト支持装置は、建物の基礎コンクリート内にアンカーボルトを配置するための装置である。アンカーボルトは、その上端側のねじ部が基礎コンクリートから突出するように配置される。アンカーボルト支持装置は、基礎コンクリートの打設前に、アンカーボルトを支持した状態で、基礎地盤上に打設された捨てコンクリート等の表面に固定され、その後、基礎コンクリートの打設によって基礎コンクリート内に埋設される。
【０００３】
図４及び図５は、特許文献１に記載されたアンカーボルト支持装置１０１を示す。アンカーボルト支持装置１０１は、捨てコンクリート１０２の表面１０２ａに立設され、表面１０２ａからは杭頭１０３が突出している。アンカーボルト支持装置１０１は、表面１０２ａに立設された嵩上げ部１０４と、嵩上げ部１０４に連結されて杭頭１０３を跨ぐように配置されたベース部１０５と、ベース部１０５から上方に延出してアンカーボルト１０６を支持する支柱部１０７とを有する。なお、アンカーボルト支持装置１０１を杭頭１０３が突出していない箇所に配置する場合は、鋼材量を減らして材料コストを下げるため、嵩上げ部１０４を設けず、ベース部１０５を捨てコンクリート１０２の表面１０２ａに固定する。
【先行技術文献】
【特許文献】
【０００４】
【特許文献１】特開２００６−３０７４９６号公報
【発明の概要】
【発明が解決しようとする課題】
【０００５】
特許文献１に記載のアンカーボルト支持装置１０１の嵩上げ部１０４は、捨てコンクリート１０２の表面１０２ａに固定される側面視でＬ字上の第１鋼材１０８と、第１鋼材１０８に連結して杭頭１０３を避けるように１片が水平方向に延びる側面視でＬ字上の第２鋼材１０９と、第２鋼材１０９をベース部１０５に連結する側面視でＬ字上の第３鋼材１１０とを有する。このように、嵩上げ部１０４は、３つの鋼材１０８，１０９，１１０を組み合わせることにより形成されるため、その取り付け作業が煩雑であった。
【０００６】
このような問題を鑑み、本発明は、杭頭を避けるための嵩上げ部を容易に取り付けることのできるアンカーボルト支持装置を提供することを目的とする。
【課題を解決するための手段】
【０００７】
本発明の少なくともいくつかの実施形態は、アンカーボルト（１）を所定の位置に配置するため、杭頭（４）が突出した表面（２ａ）に立設され、前記アンカーボルトを支持するアンカーボルト支持装置（１）であって、前記表面に立設された嵩上げ部（６）と、前記嵩上げ部に連結されて、前記杭頭を跨ぐように配置されたベース部（７）と、前記ベース部から上方に延出して、前記アンカーボルトを支持する支柱部（９）とを有し、前記ベース部は、主面が鉛直方向に平行な平板状の帯部を含む長尺材からなる複数のベース部材（１０）を有し、前記ベース部材は水平方向に延在し、前記嵩上げ部は、前記表面に立設された嵩上げ部材（２３）と、一端側において前記嵩上げ部材に固定され、他端側において前記ベース部材の一端側を延長するように該ベース部材に固定された延長アングル材（２４）とを有し、前記延長アングル材は、前記ベース部材の前記一端側の下縁に当接する平板状の水平部（２９）と、前記水平部に対して直角に配置され、該ベース部材の該一端側における前記帯部の主面に重なるように締結された平板状の鉛直部（３０）とを有することを特徴とする。
【０００８】
この構成によれば、少ない部材数で嵩上げ部を構成でき、ベース部材に締結された延長アングル材が、水平部においてベース部材に当接することにより係止されるため、両者を締結するボルトを軸に回動することが規制される。そのため、延長アングル材を１対のボルト及びナットによりベース部材に安定して取り付けることができ、作業が簡易である。また、杭頭が表面から突出していない箇所に使用する場合は、嵩上げ部を取り付けずに使用できるため、鋼材の使用量を減らし、材料コストを削減できる。また、延長アングル材をベース部材に対して摺動させることで、延長分の長さの調整を容易に行える。
【０００９】
本発明の少なくともいくつかの実施形態は、上記構成において、前記ベース部は枠形状をなし、前記嵩上げ部は前記枠形状の隅部毎に配置され、前記延長アングル材の各々は、前記ベース部材における前記枠形状に沿った周方向の同じ側の端部を延長するように配置されたことを特徴とする。
【００１０】
この構成によれば、枠形状の各隅部に配置される延長アングル材の形状を共通にすることができる。
【００１１】
本発明の少なくともいくつかの実施形態は、上記構成において、前記支柱部を構成する支柱アングル材が、前記枠形状の前記隅部の内側に配置され、前記支柱アングル材、前記ベース部材及び前記延長アングル材は、ボルト及びナットによって共締めされることを特徴とする。
【００１２】
ベース部材と延長アングル材とを締結するボルト及びナットを、支柱アングル材及びベース部材を締結するボルト及びナットとは別のものにすると、支柱アングル材及びベース部材を締結するボルト及び／又はナットがベース部材の表面から突出するため、延長アングル材をベース部材に面接触させることができない。この構成によれば、延長アングル材は、ベース部材に面接触するため安定する。
【００１３】
本発明の少なくともいくつかの実施形態は、上記構成のいずれかにおいて、前記嵩上げ部材及び前記延長アングル材は、互いにボルト（１３）及びナット（１４）によって締結され、前記嵩上げ部材は、鉛直方向に長径を有して前記ボルトを挿通させる長孔（２３ａ）を有することを特徴とする。
【００１４】
この構成によれば、アンカーボルト支持装置が載置される表面の不陸よる影響を長孔に対するボルトの位置により吸収することができる。
【００１５】
本発明の少なくともいくつかの実施形態は、上記構成のいずれかにおいて、少なくとも一部の前記ベース部材は、スペーサー（１５）を介して前記支柱部に連結し、前記スペーサーは、中央壁部（１６）と、前記中央壁部に対して直角をなすように前記中央壁部の両端から互いに同じ長さだけ延出する１対の側壁部（１７）とを有し、前記中央壁部と前記１対の側壁部の延出端との一方が前記支柱部に当接し、前記中央壁部と前記１対の側壁部の延出端との他方が前記ベース部材に当接することを特徴とする。
【００１６】
この構成によれば、スペーサーの取り付けという簡易な作業で、杭頭筋を避けるようにベース部材を配置することができる。
【発明の効果】
【００１７】
本発明によれば、杭頭を避けるための嵩上げ部を容易に取り付けることのできるアンカーボルト支持装置を提供できる。
【図面の簡単な説明】
【００１８】
【図１】実施形態に係るアンカーボルト支持装置の正面図
【図２】図１におけるＩＩ−ＩＩ断面図
【図３】実施形態に係るアンカーボルト支持装置の嵩上げ部の斜視図
【図４】従来技術に係るアンカーボルト支持装置の正面図
【図５】従来技術に係るアンカーボルト支持装置の横断面図
【発明を実施するための形態】
【００１９】
以下、図面を参照して、本発明の実施形態について説明する。図１及び図２は、実施形態に係るアンカーボルト支持装置１の正面図及び横断面図である。建物の基礎は、地盤に杭を打設し、地盤表面に捨てコンクリート２を打設し、捨てコンクリート２上に基礎コンクリート３を打設することにより構築される。捨てコンクリート２の表面２ａからは杭頭４が突出している。アンカーボルト５は、下側において建物の基礎コンクリート３に埋設され、上端側のねじ部５ａにおいて基礎コンクリート３の上面から突出している。このようにアンカーボルト５を配置するためにアンカーボルト支持装置１が使用される。アンカーボルト支持装置１は、捨てコンクリート２の打設後、アンカーボルト５を支持した状態で所定の位置に固定され、基礎コンクリート３の打設によって基礎コンクリート３内に埋設される。
【００２０】
杭頭４が突出した箇所に配置されるアンカーボルト支持装置１は、捨てコンクリート２の表面２ａに立設された複数の嵩上げ部６と、嵩上げ部６に連結されて、杭頭４を跨ぐように配置されたベース部７と、ベース部７から上方に延出して、高さ調節機構８を介してアンカーボルト５を支持する支柱部９とを有する。
【００２１】
ベース部７は、水平方向に延在する長尺材からなる４本のベース部材１０を有する。互いに隣接するベース部材１０は、互いの端部近傍で直角をなすように配置され、全体として矩形の枠形状をなす（以下、図２の紙面の下側に配置されたものを第１ベース部材１０ａと記し、第１ベース部材１０ａから時計回りに順に、第２ベース部材１０ｂ、第３ベース部材１０ｃ及び第４ベース部材１０ｄと記し、これらを総称する場合や、区別する必要がない場合は、単にベース部材１０と記す）。支柱部９は、枠形上のベース部７の隅部の内側にそれぞれ配置されて鉛直方向に延在する４本の支柱アングル材１１を有する（以下、図２の紙面において、第１〜第４ベース部材の時計回りの終端側に隣接するものをそれぞれ第１〜第４支柱アングル材１１ａ〜１１ｄと記し、これらを総称する場合や、区別する必要がない場合は、単に支柱アングル材１１と記す）。
【００２２】
各々のベース部材１０は、帯状をなし、その延在方向及び鉛直方向に平行な主面を有する鋼製の平板からなる。ベース部材１０としてアングル材等の他の長尺材を使用してもよいが、ベース部材１０は、帯状の平板（帯部）のみから構成することが好ましい。帯部のみからベース部材１０を構成すると、アングル材等を使用する場合に比べて、その延在方向に直交する水平方向への厚みが小さく、杭頭４の上面から突出する杭頭筋１２を避けやすく、また、鋼材量を減らすことができる。支柱アングル材１１は、等辺山形鋼又は不等辺山形鋼からなる。第２〜第４ベース部材１０ｂ〜１０ｄは、それぞれ、両端部において、ボルト１３及びナット１４によって、対応する支柱アングル材１１に当接するように固定される。
【００２３】
第１ベース部材１０ａを第１及び第４支柱アングル材１１ａ，１１ｄに当接するように固定すると、第１ベース部材１０ａが杭頭筋１２を避けられないため、第１ベース部材１０ａは、両端部において、鋼製のスペーサー１５を介して第１及び第４支柱アングル材１１ａ，１１ｄに固定される。
【００２４】
スペーサー１５は、平板状の中央壁部１６と、中央壁部１６に対して直角をなすように中央壁部１６の両端から互いに同じ長さだけ延出する平板状の１対の側壁部１７，１７とを有する。１対の側壁部１７，１７の遊端面は、中央壁部１６の主面と平行である。各々のスペーサー１５は、中央壁部１６の主面において第１又は第４支柱アングル材１１ａ，１１ｄに当接し、１対の側壁部１７，１７の遊端面において第１ベース部材１０ａの主面の端部に当接する。これにより、第１ベース部材１０ａは、第２及び第４ベース部材１０ｂ，１０ｄの延在方向に対して直角をなすように延在し、かつ、その主面が鉛直方向に平行に配置される。なお、中央壁部１６の主面を第１ベース部材１０ａの主面の端部に当接させ、１対の側壁部１７，１７の遊端面を第１又は第４支柱アングル材１１ａ，１１ｄに当接させてもよい。第１ベース部材１０ａ、スペーサー１５、及び第１又は第４支柱アングル材１１ａ，１１ｄは、軸部が１対の側壁部１７，１７間を通るボルト１３及びナット１４によって共締めされる。
【００２５】
なお、スペーサー１５がなくとも第１ベース部材１０ａが杭頭筋１２を避けられる場合は、第１ベース部材１０ａにスペーサー１５を用いなくともよい。また、第２〜第４ベース部材１０ｂ〜１０ｄを対応する支柱アングル材１１に当接するように固定すると杭頭筋１２を避けられない場合は、第２〜第４ベース部材１０ｂ〜１０ｄは、スペーサー１５を介して対応する支柱アングル材１１に固定される。各ベース部材１０が支柱アングル材１１に固定されることにより、ベース部材１０及び支柱アングル材１１の相対的な位置が固定される。支柱アングル材１１を安定させるため、互いに隣接する支柱アングル材１１，１１間に水平方向に延在する帯形状の鋼板からなる補強部材１８を配置し、支柱アングル材１１，１１のそれぞれの上下方向の中間部に補強部材１８の対応する端部を固定することが好ましい。
【００２６】
高さ調節機構８は、鉛直方向に延在して下端側で支柱アングル材１１の上端側の隅部の内面に当接する全ねじボルト１９と、全ねじボルト１９を支柱アングル材１１に固定するための屈曲ボルト２０及びナット１４と、全ねじボルト１９に螺合して支柱アングル材１１の上端に載置される高さ調整用ナット２１とを有する。アンカーボルト５は全ねじボルト１９に支持されている。屈曲ボルト２０の両端部をナット１４で支柱アングル材１１に締結することにより、全ねじボルト１９は、屈曲ボルト２０及び支柱アングル材１１に挟持される。屈曲ボルト２０及びナット１４による締結を弱めることにより、全ねじボルト１９を支柱アングル材１１に対して上下に摺動でき、高さ調整用ナット２１を回転させることにより、アンカーボルト５の高さの調整を容易に行える。また、高さ調整用ナット２１は、支柱アングル材１１の上端に係止されているため、高さ調整後のアンカーボルト５を仮保持でき、その高さを維持した状態で屈曲ボルト２０及びナット１４による締結を行い易くする。また、アンカーボルト５の上端側には、テンプレート２２が装着されている。
【００２７】
杭頭４が突出していない箇所では、ベース部７が捨てコンクリート２の表面２ａに載置されて固定されるが、杭頭４が突出している箇所では、嵩上げ部６をベース部７に取り付け、嵩上げ部６が捨てコンクリート２の表面２ａに載置されて固定される。
【００２８】
図３は、嵩上げ部６近傍の拡大斜視図である。図１〜図３に示すように、嵩上げ部６は、捨てコンクリート２の表面２ａに立設された嵩上げ部材２３と、一端側において嵩上げ部材２３の上端側に固定され、他端側においてベース部７に固定された延長アングル材２４とを有する。嵩上げ部６は、枠形状のベース部７の隅部に取り付けられる。
【００２９】
嵩上げ部材２３は、捨てコンクリート２の表面２ａに載置されて固定される平板状の底壁部２５と、底壁部２５の端部から上方に延出する平板状の立壁部２６とを有し、縦断面視でＬ字状をなす部材である。嵩上げ部材２３には、Ｌ字状の側端に沿ってリブ２７が設けられていることが好ましい。底壁部２５は、アンカー部材２８によって、捨てコンクリート２に固定される。立壁部２６の上下方向長さは、杭頭４の突出長よりも長い。嵩上げ部材２３と延長アングル材２４とは互いにボルト１３及びナット１４によって締結されるが、捨てコンクリート２の表面２ａの不陸による影響を吸収するため、嵩上げ部材２３の立壁部２６におけるボルト１３が挿通される孔は、鉛直方向に長径を有する長孔２３ａであることが好ましい。
【００３０】
延長アングル材２４は、対応するベース部材１０（図３では第４ベース部材１０ｄ）の一端側を延長するようにそのベース部材１０に取り付けられる。延長アングル材２４は、平板状の水平部２９と、水平部２９に対して上方に向かって直角に配置された平板状の鉛直部３０とを有する、等辺山形鋼又は不等辺山形鋼からなる。水平部２９は、そのベース部材１０の一端側の下縁に当接する。さらに、水平部２９は、そのベース部材１０の一端側に直角をなすように隣接する他のベース部材１０（図３では第１ベース部材１０ａ）の端部の下縁、又はスペーサー１５の下縁に当接することが好ましい。鉛直部３０は、そのベース部材１０の主面に重なるように配置される。延長アングル材２４は、ボルト１３及びナット１４により、鉛直部３０の一端側において嵩上げ部材２３の立壁部２６に締結され、他端側においてベース部材１０及び支柱アングル材１１に共締めされる。共締めにより、鉛直部３０の主面をベース部材１０の主面に面接触させることができ、延長アングル材２４が安定する。延長アングル材２４のベース部材１０に対する延長長さを調整できるようにするため、鉛直部３０にはボルト１３を挿通可能な孔を延在方向に沿って複数設け、又は延在方向に長径を有する長孔を設けることが好ましい（図示せず）。嵩上げ部材２３及び延長アングル材２４における、このような孔の配置等の形状が共通になるように、延長アングル材２４は、ベース部７の枠形状に沿った周方向の、ベース部材１０の同じ側の端部（図示する例では時計回りの終点側）を延長するように配置されることが好ましい。第１ベース部材１０ａを延長するように配置される延長アングル材２４は、ボルト１３及びナット１４により、ベース部材１０、支柱アングル材１１及びスペーサー１５に共締めされる。１対のボルト１３及びナット１４によって、延長アングル材２４をベース部材１０に締結しても、水平部２９が、延長されるベース部材１０の端部の下縁に当接して係止されるため、ボルト１３の軸回りに延長アングル材２４が回動することが防止される。そのため、１対のボルト１３及びナット１４による固定で、延長アングル材２４をベース部材１０に対して安定させることができる。
【００３１】
嵩上げ部６を構成する主要部材が、嵩上げ部材２３及び延長アングル材２４の２つであり、延長アングル材２４は、１対のボルト１３及びナット１４によりベース部材１０に安定して固定することができるため、嵩上げ部６をベース部７に容易に取り付けることができる。必要に応じて嵩上げ部６を取り付け、又は取り外すことができるため、鋼材の使用量を減らし、材料コストを削減できる。
【００３２】
杭頭筋１２を避けるために、スペーサー１５をベース部材１０と支柱アングル材１１との間に挿入する場合でも、ベース部材１０をスペーサー１５に当接させるだけで、ベース部材１０の配置及び向きが適切になるため、建設現場におけるスペーサー１５の取り付け及びベース部材１０の再取り付けが容易である。
【００３３】
以上で具体的実施形態の説明を終えるが、本発明は上記実施形態に限定されることなく幅広く変形実施することができる。例えば、ベース部を矩形以外の枠形状や、枠形状以外の形状としてもよい。
【符号の説明】
【００３４】
１：アンカーボルト
２：捨てコンクリート
２ａ：表面
４：杭頭
５：アンカーボルト
６：嵩上げ部
７：ベース部
９：支柱部
１０：ベース部材
１１：支柱アングル材
１２：杭頭筋
１５：スペーサー
１６：中央壁部
１７：側壁部
２３：嵩上げ部材
２３ａ：長孔
２４：延長アングル材
２９：水平部
３０：鉛直部
【図１】
2020020191.tif 000003
【図２】
2020020191.tif 000004
【図３】
2020020191.tif 000005
【図４】
2020020191.tif 000006
【図５】
2020020191.tif 000007